(57)【要約】【課題】  簡易な構成で、より施行が容易で、美観の優れた外流し装置とその部品を提供しようとする。【解決手段】  従来の外流し装置にかわって、地面の上に立ち上げられた水道管と、前記水道管の端部に取り付けられた水栓と、少なくとも正面と上面と左右側面とを覆い水道管の立ち上がり部を収納できる収納空隙を持ち正面の前記水道管の端部に略対面する位置に前記収納空間に連通する貫通穴を設けられ地面から起立できる形状を持つ上部構造部材と前記上部構造部材の下部に固定され水栓から出た水を一時的に受ける下部構造部材とを有する外流しカバーと、を備え、水栓の取り付け部を前記貫通穴を貫通して前記水道管に取り付けられる、ものとした。【選択図】    図１
2008223323.tif 000002
【特許請求の範囲】
【請求項１】
地面の上に立ち上げられた水道管の端部に取り付けられた水栓から水を流すための外流しカバーであって、
少なくとも正面と上面と左右側面とを覆い水道管の立ち上がり部を収納できる収納空隙を持ち正面の水道管の端部に略対面する位置に前記収納空間に連通する貫通穴を設けられ地面から起立できる形状を持つ上部構造部材と、
前記上部構造部材の下部に固定され水栓から出た水を一時的に受ける下部構造部材と、
を備え、
水栓の取り付け部を前記貫通穴を貫通して前記水道管に取り付けられる、
ことを特徴とする外流しカバー。
【請求項２】
前記上部構造部材が裏面に前記収納空間に連通する開口部を設けられる、
ことを特徴とする請求項１に記載の外流しカバー。
【請求項３】
前記下部構造部材が前記凹み部を上面に設けられた水盤形状の流し構造部材と前記流し構造部材の下部に固定され上から下に移るに従って垂直軸まわりの外周形状が小さくなる支持構造部材とを有し、
前記支持構造部材の少なくとも一部を地面の下に埋めることをできる、
ことを特徴とする請求項１に記載の外流しカバー。
【請求項４】
水を流すための外流し装置であって、
地面の上に立ち上げられた水道管と、
前記水道管の端部に取り付けられた水栓と、
少なくとも正面と上面と左右側面とを覆い水道管の立ち上がり部を収納できる収納空隙を持ち正面の前記水道管の端部に略対面する位置に前記収納空間に連通する貫通穴を設けられ地面から起立できる形状を持つ上部構造部材と前記上部構造部材の下部に固定され水栓から出た水を一時的に受ける下部構造部材とを有する外流しカバーと、
を備え、
水栓の取り付け部を前記貫通穴を貫通して前記水道管に取り付けられる、
ことを特徴とする外流し装置。
【請求項５】
前記上部構造部材が裏面に前記収納空間に連通する開口部を設けられる、
ことを特徴とする請求項４に記載の外流し装置。
【請求項６】
前記下部構造部材が前記凹み部を上面に設けられた水盤形状の流し構造部材と前記流し構造部材の下部に固定され上から下に移るに従って垂直軸まわりの外周形状が小さくなる支持構造部材とを有し、
前記支持構造部材の少なくとも一部を地面の下に埋めることをできる、
ことを特徴とする請求項４に記載の外流し装置。
【発明の詳細な説明】
【技術分野】
【０００１】
本発明は、主に屋外に設置される流し装置に係る。
【背景技術】
【０００２】
主に、建屋の水まわり設備として、屋外に水を流すための外流し装置が設けられる。
一般的な外流し装置は、水栓と水栓柱と外流し槽と基礎ブロックとで構成される。
配管が水栓柱の中に設けられる。配管の一方の端部が、水栓柱の上部に側面を貫通して固定される。配管の他方の端部が、水栓柱の下部に側面を貫通して固定される。
より安価な外流し装置は、水栓と水道管と外流し槽と基礎ブロックとで構成される。
【０００３】
一般的な外流し装置の付設手順を説明する。
水道管を地面の下に付設する。
水栓柱を地面に立てて、水道管を水栓柱に設けられた配管の下方の端部にねじ込む。
水栓を水栓柱に設けられた配管の上方の端部にねじ込む。
基礎ブロックを水栓柱に沿って地面に付設する。
外流し槽を基礎ブロックの上に固定する。
【０００４】
より安価な外流し装置の付設手順を説明する。
水道配管を地面から上に立ち上げで付設する。
水栓を水道管の端部にねじ込む。
基礎ブロックを水道管の立ち上がり部に沿って地面に付設する。
外流し槽を基礎ブロックの上に固定する。
【０００５】
市場では、より施行が簡単で、美観の優れた流し装置を求められていた。
【０００６】
【特許文献１】公開実用昭６１−１７３５７５号
【特許文献２】特開平１０−１７６３５２号
【特許文献３】特開２００１−３４８９２９号
【特許文献４】特開２００４−２１８２９７号
【発明の開示】
【発明が解決しようとする課題】
【０００７】
本発明は以上に述べた問題点に鑑み案出されたもので、簡易な構成で、より施行が容易で、美観の優れた外流し装置とその部品を提供しようとする。
【課題を解決するための手段】
【０００８】
上記目的を達成するため、本発明に係る地面の上に立ち上げられた水道管の端部に取り付けられた水栓から水を流すための外流しカバーを、少なくとも正面と上面と左右側面とを覆い水道管の立ち上がり部を収納できる収納空隙を持ち正面の水道管の端部に略対面する位置に前記収納空間に連通する貫通穴を設けられ地面から起立できる形状を持つ上部構造部材と、前記上部構造部材の下部に固定され水栓から出た水を一時的に受ける下部構造部材と、を備え、水栓の取り付け部を前記貫通穴を貫通して前記水道管に取り付けられる、ものとした。
【０００９】
上記本発明の構成により、地面から起立できる形状の上部構造部材が、少なくとも正面と上面と左右側面とを覆い水道管の立ち上がり部を収納できる収納空隙を持ち正面の水道管の端部に略対面する位置に前記収納空間に連通する貫通穴を設けられる。下部構造部材が、前記上部構造部材の下部に固定され水栓から出た水を一時的に受ける。水栓の取り付け部を前記貫通穴を貫通して前記水道管に取り付けられる。
その結果、水道管の地面から立ち上がった部分が収納空間に収納される様に、上部構造部材と前記下部構造部材とを据え付けて、水栓を貫通穴を貫通して前記水道管に取り付けると、美観の優れた外流し装置を設置できる。
【００１０】
以下に、本発明の実施形態に係る外流しカバーを説明する。本発明は、以下に記載した実施形態のいずれか、またはそれらの中の二つ以上が組み合わされた態様を含む。
【００１１】
さらに、本発明の実施形態に係る外流しカバーは、前記上部構造部材が裏面に前記収納空間に連通する開口部を設けられる。
上記本発明の構成により、前記収納空間に連通する開口部が前記上部構造部材が裏面にを設けられる。
その結果、上部構造部材を水道管が収納空間に収納される様に容易に据え付けできる。
【００１２】
さらに、本発明の実施形態に係る外流しカバーは、前記下部構造部材が前記凹み部を上面に設けられた水盤形状の流し構造部材と前記流し構造部材の下部に固定され上から下に移るに従って垂直軸まわりの外周形状が小さくなる支持構造部材とを有し、前記支持構造部材の少なくとも一部を地面の下に埋めることをできる。
上記本発明の構成により、前記下部構造部材が流し構造部材と支持構造部材とを有し、流し構造部材が、前記凹み部を上面に設けられた水盤形状である。支持構造部材が、前記流し構造部材の下部に固定され上から下に移るに従って垂直軸まわりの外周形状が小さくなる。前記支持構造部材の少なくとも一部が地面の下に埋めることをできる。
その結果、下部構造部材を地面に固定し容易に据え付けできる。
【００１３】
上記目的を達成するため、本発明に係る水を流すための外流し装置を、地面の上に立ち上げられた水道管と、前記水道管の端部に取り付けられた水栓と、少なくとも正面と上面と左右側面とを覆い水道管の立ち上がり部を収納できる収納空隙を持ち正面の前記水道管の端部に略対面する位置に前記収納空間に連通する貫通穴を設けられ地面から起立できる形状を持つ上部構造部材と前記上部構造部材の下部に固定され水栓から出た水を一時的に受ける下部構造部材とを有する外流しカバーと、を備え、水栓の取り付け部を前記貫通穴を貫通して前記水道管に取り付けられる、ものとした。
【００１４】
上記本発明の構成により、水道管が、地面から立ち上げられる。水栓が、前記水道管の頂部に取り付けられる。外流しカバーが地面から起立できる形状を持つ上部構造部材と下部構造部材とを有し、上部構造部材が少なくとも正面と上面と左右側面とを覆い水道管の立ち上がり部を収納できる収納空隙を持ち正面の前記水道管の端部に略対面する位置に前記収納空間に連通する貫通穴を設けられる。下部構造部材が、前記上部構造部材の下部に固定され水栓から出た水を一時的に受ける。水栓の取り付け部を前記貫通穴を貫通して前記水道管に取り付けられる。
その結果、水道管の地面から立ち上がった部分が収納空間に収納される様に、上部構造部材と前記下部構造部材とを据え付けて、水栓を貫通穴を貫通して前記水道管に取り付けると、美観の優れた外流し装置を設置できる。
【００１５】
以下に、本発明の実施形態に係る外流し装置を説明する。本発明は、以下に記載した実施形態のいずれか、またはそれらの中の二つ以上が組み合わされた態様を含む。
【００１６】
さらに、本発明の実施形態に係る外流し装置は、前前記上部構造部材が裏面に前記収納空間に連通する開口部を設けられる。
上記本発明の構成により、前記収納空間に連通する開口部が前記上部構造部材の裏面に設けられる。
その結果、水道管が収納空間に収納される様に上部構造部材を容易に据え付けできる。
【００１７】
さらに、本発明の実施形態に係る外流し装置は、前記下部構造部材が前記凹み部を上面に設けられた水盤形状の流し構造部材と前記流し構造部材の下部に固定され上から下に移るに従って垂直軸まわりの外周形状が小さくなる支持構造部材とを有し、前記支持構造部材の少なくとも一部を地面の下に埋めることをできる。
上記本発明の構成により、前記下部構造部材が流し構造部材と支持構造部材とを有し、流し構造部材が、前記凹み部を上面に設けられた水盤形状である。支持構造部材が、前記流し構造部材の下部に固定され上から下に移るに従って垂直軸まわりの外周形状が小さくなる。前記支持構造部材の少なくとも一部を地面の下に埋めることをできる。
その結果、下部構造部材を地面に固定され容易に据え付けできる。
【発明の効果】
【００１８】
以上説明したように本発明に係る外流し装置とその外流しカバーは、その構成により、以下の効果を有する。
外流しカバーが地面から起立できる形状を持つ上部構造部材と下部構造部材とを有し、上部構造部材が水道管の立ち上がり部を収納できる収納空隙を持ち正面の前記水道管の端部に略対面する位置に前記収納空間に連通する貫通穴を設けられ、下部構造部材が、前記上部構造部材の下部に固定され水栓から出た水を一時的に受け、水栓の取り付け部を前記貫通穴を貫通して前記水道管に取り付けられる様にしたので、地面から立ち上げられた水道管が収納空間に収納される様に前記上部構造体と前記下部構造部材とを据え付けて、水栓を貫通穴を貫通して前記水道管に取り付けると、美観の優れた外流し装置を設置できる。
また、前記収納空間に連通する開口部が前記上部構造部材の裏面に設けられる様にしたので、上部構造部材を水道管が収納空間に収納される様に容易に据え付けできる。
また、前記下部構造部材が流し構造部材と支持構造部材とを有し、流し構造部材が前記凹み部を上面に設けられた水盤形状であり、支持構造部材が前記流し構造部材の下部に固定され上から下に移るに従って垂直軸まわりの外周形状が小さくなり、前記支持構造部材の少なくとも一部を地面の下に埋められる様にしたので、下部構造部材を地面に固定され容易に据え付けできる。
従って、簡易な構成で、より施行が容易で、美観の優れた外流し装置とその部品を提供できる。
【発明を実施するための最良の形態】
【００１９】
以下、本発明を実施するための最良の形態を、図面を参照して説明する。なお、各図において、共通する部分には同一の符号を付し、重複した説明を省略する。
【００２０】
最初に、本発明の第一の実施形態に係る履歴管理装置を、図を基に、説明する。
図１は、本発明の実施形態に係る外流し装置の正面図である。図２は、本発明の実施形態に係る外流し装置の平面図である。図３は、本発明の第一の実施形態に係る外流し装置のＡ−Ａ断面図図４は、本発明の第一の実施形態に係る外流し装置の背面図
外流し装置１０を壁５の際に設ける場合を例に説明する。
【００２１】
外流し装置１０は、水を流すための装置である。
外流し装置１０は、水道管２０と水栓３０と外流しカバー４０と配水管５０とで構成される。
水道管２０は、水道を流す配管である。
水道管は地面から立ち上がる。
【００２２】
水栓３０は、開閉可能な弁であり、水道管２０の頂部２１に取り付けられる。
例えば、水栓３０の取り付け部が雄ねじであり、取り付け部を水道管２０の頂部２１に水密にねじ込まれる。
【００２３】
外流しカバー４０は、地面から立ち上げられた水道管２０の頂部に取り付けられた水栓３０から水を流すための部品である。
外流しカバー４０は、上部構造部材４１と下部構造部材４２とねじ４４とで構成される。
上部構造部材４１は、少なくとも正面Ｓ１と上面Ｓ２と左右側面Ｓ３とを覆い、水道管２０の立ち上がり部を収納できる収納空隙Ｈを持ち、正面Ｓ１の水道管２０の端部２１に略対面する位置に収納空間Ｈに連通する貫通穴Ｋを設けられ、地面から起立できる形状を持つ部材である。
例えば、上部構造部材４１は、正面Ｓ１と上面Ｓ２と左右側面Ｓ３と裏面Ｓ４の一部を覆う薄板で形成された構造を持つ。
例えば、上部構造部材４１は、正面Ｓ１と上面Ｓ２と左右側面Ｓ３とにデザインが施される。
例えば、上部構造部材４１は、正面Ｓ１に石鹸等をおくことをできる突起部を設けられる。
例えば、上部構造部材４１は、正面から見て左右の幅の広い縦板状の形状をしていてもよい。
例えば、上部構造部材４１は、水道管２０を覆って隠す。
例えば、薄板はＦＲＰ製である。
薄板が、収納空間Ｈを形成する。水道管２０の立ち上がり部が、収納空間Ｈに収納される。
薄板は、正面の水道管の端部に略対面する位置に収納空間Ｈに連通する貫通穴Ｋを設けられる。
水栓３０の取り付け部を貫通穴Ｋを貫通して水道管２０に取り付けられる。
例えば、水栓の取り付け部である雄ねじが、貫通穴Ｋを貫通して水道管の端部の雌ねじに水密にねじ込まれる。
水栓３０の取り付け部がフランジから雄ねじが突出する形式である場合、貫通穴Ｋの大きさは、水栓３０の取り付け部の雄ねじよりも大きく、水栓３０の取り付け部のフランジよりも大きくてもよい。
上部構造部材４１は、壁５に固定される。
【００２４】
上部構造部材４１が、裏面Ｓ３に収納空間Ｈに連通する開口部Ｏを設けられてもよい。
例えば、収納空間Ｈに連通する開口部Ｏが、裏面Ｓ３の一部を覆う薄板の真ん中に設けられる。
【００２５】
下部構造部材４２は、上部構造部材４１の下部に固定され、水栓３０から出た水を一時的に受ける部材である。
下部構造部材４２は、上部構造部材４１の下部に固定され、水栓３０から出た水を一時的に受ける凹み部Ｌを設けられる部材であってもよい。
下部構造部材４２は、上部構造部材４１の下部にねじ４４で固定される。
例えば、下部構造部材４２は、少なくとも正面Ｓ１と上面Ｓ２と左右側面Ｓ３とを覆う薄板で形成される。
上面Ｓ２を覆う薄板が下方に凹んで凹み部Ｌを形成する。
排水口４３が、凹み部Ｌの下部に設けられる。
下部構造部材４２の下部が地面に接する。
【００２６】
配水管５０は、凹み部Ｌに貯まった水を排水する配管である。
配水管５０の端部が、排水口４３に連通される。
【００２７】
次に、本発明の第二の実施形態に係る外流し装置１０を、図を基に、説明する。
図５は、本発明の第二の実施形態に係る外流し装置のＡ−Ａ断面図である。
外流し装置１０を壁５の際に設ける場合を例に説明する。
【００２８】
外流し装置１０は、水道管２０と水栓３０と外流しカバー４０と配水管５０とで構成される。
水道管２０と水栓３０と配水管５０の構造は、第一の実施形態にかかる外流し装置１０のものと同じなので、説明を省略する。
【００２９】
外流しカバー４０は、地面から立ち上げられた水道管２０の頂部に取り付けられた水栓３０から水を流すための部品である。
外流しカバー４０は、上部構造部材４１と下部構造部材４２とで構成される。
上部構造部材４１の構造は、第一の実施形態にかかる外流し装置のものと同じなので、説明を省略する。
【００３０】
下部構造部材４２は、上部構造部材の下部に固定され水栓３０から出た水を一時的に受ける部材であり、流し構造部材４２ａと支持構造部材４２ｂとで構成される。
流し構造部材４２ａは、凹み部Ｌを上面に設けられた水盤形状の部材である。
凹み部Ｌは水栓３０からでた水を一時的に受ける。
流し構造部材４２ａは、少なくとも正面Ｓ１と上面Ｓ２と左右側面Ｓ３とを覆う薄板で形成される。
上面Ｓ２を覆う薄板が下方に凹んで凹み部Ｌを形成する。
排水口が、凹み部Ｌの下部に設けられる。
【００３１】
支持構造部材４２ｂは、流し構造部材の下部に固定され上から下に移るに従って垂直軸回りの外周形状が小さくなる部材である。
例えば、支持構造部材４２ｂは、流し構造部材の下部に固定され上から下に移るに従って垂直軸回りの外周形状が段階的に小さくなる部材である。
支持構造部材の少なくとも一部を地面の下に埋めることをできる。
例えば、支持構造部材４２ｂは、正面Ｓ１と左右側面Ｓ３とを覆う薄板で形成される。
支持構造部材４２ｂは、配水管５０を覆って隠す。
【００３２】
次に、本発明の第三の実施形態に係る外流し装置１０を、図を基に、説明する。
図６は、本発明の第三の実施形態に係る外流し装置のＡ−Ａ断面図である。
外流し装置１０を自立する様に設ける場合を例に説明する。
【００３３】
外流し装置１０は、水道管２０と水栓３０と外流しカバー４０と配水管５０とで構成される。
水道管２０と水栓３０と配水管５０の構造は、第一、第二の実施形態にかかる外流し装置のものと同じなので、説明を省略する。
【００３４】
外流しカバー４０は、地面から立ち上げられた水道管２０の頂部に取り付けられた水栓３０から水を流すための部品である。
外流しカバー４０は、上部構造部材４１と下部構造部材４２とで構成される。
【００３５】
上部構造部材４１は、正面Ｓ１と上面Ｓ２と左右側面Ｓ３と裏面Ｓ４とを覆い、水道管２０の立ち上がり部を収納できる収納空隙Ｈを持ち、正面Ｓ１の水道管２０の端部２１に略対面する位置に収納空間Ｈに連通する貫通穴Ｋを設けられ、地面から起立できる形状を持つ部材である。
例えば、上部構造部材４１は、正面Ｓ１と上面Ｓ２と左右側面Ｓ３と裏面Ｓ４とを覆う薄板で形成された構造を持つ。
薄板が、収納空間Ｈを形成する。水道管２０の立ち上がり部が、収納空間Ｈに収納される。
薄板は、正面の水道管の端部に略対面する位置に収納空間Ｈに連通する貫通穴Ｋを設けられる。
水栓の取り付け部を貫通穴Ｋを貫通して水道管に取り付けられる。
例えば、水栓の取り付け部である雄ねじが、貫通穴Ｋを貫通して水道管の端部の雌ねじに水密にねじ込まれる。
【００３６】
下部構造部材４２ｂの構造は、第二の実施形態にかかる外流し装置のものと同じなので、説明を省略する。
【００３７】
次に、本発明の実施形態にかかる外流し装置１０の施行手順を、図を基に、説明する。
以下では、第二の実施形態にかかる外流し装置１０を例にして説明する。
（Ａ）
建屋の壁５に沿って水道管２０と排水管５０とを付設する。
水道管２０を壁に沿って地面から立ち上げる。
この時には、屋外の地面の造成は完成していない。
（Ｂ）
外流しカバー４０を壁５に固定する。
水栓３０の雄ねじを貫通孔Ｋを貫通して水道管２０の端部にねじ込む。
配水管５０を排水口に連通させる。
。
（Ｃ）
屋外の地面の造成をする。
外流しカバーの下部の周囲を土で埋める。
【００３８】
上述の実施形態の履歴管理装置を用いれば、以下の効果を発揮する。
外流しカバー４０が地面から起立できる形状をもつ上部構造部材４１と下部構造部材４２とで構成され、水道管２０の立ち上がり部を収納できる収納空隙Ｈを持ち正面Ｓ１の水道管２０の端部に略対面する位置に収納空間Ｈに連通する貫通穴を設けられ、下部構造部材４２が、上部構造部材４１の下部に固定され水栓３０から出た水を一時的に受ける凹み部Ｌを設けられ、水栓３０の取り付け部が貫通穴Ｋを貫通して水道管２０に取り付けることをできる様にしたので、地面から立ち上げられた水道管２０が収納空間Ｈに収納される様に上部構造部材を据え付け、さらに凹み部Ｌが上方を向く様に下部構造部材４２を据え付けて、水栓３０を貫通穴Ｋを貫通して水道管２０に取り付けると、美観の優れた外流し装置１０を設置できる。
また、収納空間Ｈに連通する開口部Ｏが上部構造部材４１の裏面Ｓ４に設けられる様にしたので、水道管２０が収納空間Ｈに収納される様に上部構造部材４１を容易に据え付けできる。
また、下部構造部材４２が流し構造部材４２ａと支持構造部材４２ｂとを有し、流し構造部材４２ａが凹み部Ｌを上面に設けられた水盤形状であり、支持構造部材４２ｂが流し構造部材４２ａの下部に固定され上から下に移るに従って垂直軸まわりの外周形状が小さくなり、支持構造部材４２ｂの少なくとも一部が地面の下に埋まることをできる様にしたので、下部構造部材４２を地面に固定され容易に据え付けできる。
【００３９】
本発明は以上に述べた実施形態に限られるものではなく、発明の要旨を逸脱しない範囲で各種の変更が可能である。
上部構造部材と下部構造部材とを別部材として、ねじ４４で連結する構造で説明したが、これに限定されず、上部構造部材と下部構造部材とを一体構造としてもよい。
外流しカバー４０は、壁に固定しても良いし、自立させてもよい。
収納空間Ｈは、水道管２０を収納するとして説明したが、これに限定されず、水栓柱を収納してもよい。
流し構造部材４２ａと支持構造部材４２ｂを一体構造であるとして説明したが、これに限定されず、流し構造部材４２ａと支持構造部材４２ｂと別構造として、ねじ等で組み立ててもよい。
下部構造部材４２が凹み部Ｌを設けられる例で説明したが、これに限定されず、凹み部を設けられなくても良い。
【図面の簡単な説明】
【００４０】
【図１】本発明の実施形態に係る外流し装置の正面図である。
【図２】本発明の実施形態に係る外流し装置の平面図である。
【図３】本発明の第一の実施形態に係る外流し装置のＡ−Ａ断面図
【図４】本発明の第一の実施形態に係る外流し装置の背面図
【図５】本発明の第二の実施形態に係る外流し装置のＡ−Ａ断面図
【図６】本発明の第三の実施形態に係る外流し装置のＡ−Ａ断面図
【図７】本発明の実施形態に係る外流し装置の施行手順図
【００４１】
Ｈ    収納空間
Ｋ    貫通穴
Ｌ    凹み部
Ｏ    開口部
Ｓ１  正面
Ｓ２  上面
Ｓ３  左右側面
Ｓ４  裏面
５    壁
１０    外流し装置
２０    水道管
３０    水栓
４０    外流しカバー
４１    上部構造部材
４２    下部構造部材
４２ａ  流し構造部材
４２ｂ  支持構造部材
４３    排水口
４４    ねじ
５０    配水管
【図１】
2008223323.tif 000003
【図２】
2008223323.tif 000004
【図３】
2008223323.tif 000005
【図４】
2008223323.tif 000006
【図５】
2008223323.tif 000007
【図６】
2008223323.tif 000008
【図７】
2008223323.tif 000009